(57)【特許請求の範囲】
【請求項１】
電子機器に設けられた係合穴と、
ネジ穴が設けられ、前記係合穴に係合されるネジ穴部材と、
前記ネジ穴に挿入されるネジ軸が設けられ、前記電子機器を支持する支持脚とを備え、
前記ネジ穴部材は、一組の構成部材が組み合わされてなり、一方の前記構成部材が前記係合穴に一体に形成され、内周部に前記ネジ穴が形成された筒状の周壁を有し、前記周壁の一部に、前記係合穴に係合される係合部が、前記ネジ穴の径方向に弾性変形可能に形成されている脚調整機構。
【請求項２】
前記係合穴は前記電子機器の樹脂製の筐体に形成されている請求項１に記載の脚調整機構。
【請求項３】
前記ネジ穴部材は樹脂材料によって形成されている請求項２に記載の脚調整機構。
【請求項４】
前記支持脚は、前記ネジ軸と、前記電子機器を支持する脚部とが樹脂材料によって一体に形成されている請求項３に記載の脚調整機構。
【請求項５】
請求項１ないし４のいずれか１項に記載の脚調整機構を備える電子機器。
【発明の詳細な説明】
【技術分野】
【０００１】
本発明は、電子機器の設置面に対する電子機器の高さを調整するための脚調整機構、およびこの脚調整機構を備える電子機器に関する。
【背景技術】
【０００２】
従来の脚調整機構としては、テーブルの脚の下端に、ねじ孔が設けられた脚端部材が圧入され、この脚端部材のねじ孔に、アジャスタボルトの雄ねじ部が挿入された構成が開示されている（例えば、特許文献１参照。）。この脚調整機構では、脚端部材に対してアジャスタボルトが回転操作されることで、各脚の床面からの高さが調整可能にされている。
【０００３】
また、電子機器として、例えば、スクリーン等の投射面上に映像を投射するプロジェクタでは、筐体の底面に、支持脚を備える脚調整機構が設けられている。プロジェクタでは、映像の投射位置を調整する際に、脚調整機構によって支持脚の長さを調整することで、設置面に対するプロジェクタの高さや投射光軸の傾斜状態が調整されている。
【０００４】
この種のいわゆるネジ方式の脚調整機構では、必要に応じて支持脚を回転操作することで、筐体のネジ穴に対して挿入される支持脚のネジ軸の挿入量を変化させて、支持脚の長さが変化され、筐体の設置面に対する高さが任意に調整可能にされている。
【０００５】
また、一般に、電子機器では、機器全体の軽量化や製造コストの低減を図るために、樹脂製の筐体が用いられている。したがって、電子機器の筐体に組み付けられる、ネジ方式の支持脚を備える従来の脚調整機構では、樹脂製の筺体に金属製のナットが圧入されて熱溶着されて組み付けられる構成や、筺体の内面側に、ネジ穴が設けられた金属プレートがネジ止めされて組み付けられる構成が採られている。
【０００６】
例えば図５に示すように、従来の脚調整機構１０１は、電子機器の筐体１１１に設けられた軸穴１１２と、この軸穴１１２に接合される金属製のネジ穴部材１１３と、このネジ穴部材１１３に挿入される支持脚１１４とを備えている。
【０００７】
軸穴１１２は、樹脂製の筐体１１１に形成されており、円筒状の周壁１１２ａが一体に形成されている。ネジ穴部材１１３は、金属材料によって円筒状に形成されており、内周部にネジ穴１１６が形成されている。支持脚１１４は、金属材料によって形成されており、ネジ穴部材１１３のネジ穴１１６に挿入されるネジ軸１１８と、電子機器を支持する脚部１１９とを有している。
【０００８】
以上のように構成された従来の脚調整機構１０１を電子機器の筐体１１１に組み付ける工程では、圧入用工具を用いてネジ穴部材１１３を加熱しながら軸穴１１２に圧入することで、軸穴１１２内にネジ穴部材１１３が熱溶着されて接合される。そして、支持脚１１４は、軸穴１１２に接合されたネジ穴部材１１３のネジ穴１１６にネジ軸１１８が挿入されることで、長さ調整が可能にされている。    
【特許文献１】特開２００５−１３７７１５号公報（図５）
【発明の開示】
【発明が解決しようとする課題】
【０００９】
しかしながら、上述した従来の脚調整機構では、樹脂製の筐体にネジ穴部材を取り付ける際に、各種工具を用いて圧入作業やネジ止め作業を行う必要があり、組み立て作業や分解作業が煩雑であるという問題があった。
【００１０】
また、従来の脚調整機構は、分解後に資材を再利用する場合、樹脂製の筐体、金属製のネジ穴部材、金属製の支持脚等を分別して回収する必要があり、分別作業が煩わしいという不都合がある。特に、支持脚が、金属製のネジ軸に樹脂製の脚部が設けられた構成の場合には、分解時の資材の分別が煩雑であるという不都合があった。
【００１１】
そこで、本発明は、各種工具を用いることなく組み付け作業や分解作業を可能にし、組み立て時や分解時の作業性を向上することができる脚調整機構および電子機器を提供することを目的とする。
【課題を解決するための手段】
【００１２】
上述した目的を達成するため、本発明に係る脚調整機構は、電子機器に設けられた係合穴と、ネジ穴が設けられ係合穴に係合されるネジ穴部材と、ネジ穴に挿入されるネジ軸が設けられ電子機器を支持する支持脚とを備える。そして、ネジ穴部材は、一組の構成部材が組み合わされてなり、一方の構成部材が係合穴に一体に形成され、内周部にネジ穴が形成された筒状の周壁を有し、この周壁の一部に、係合穴に係合される係合部が、ネジ穴の径方向に弾性変形可能に形成されている。
【００１３】
以上のように構成した本発明に係る脚調整機構は、電子機器の係合穴にネジ穴部材を組み付ける際、ネジ穴部材の係合部をネジ穴の径方向の中心側に向かって弾性変形させた後に、この係合部を復帰させることで、係合部が係合穴に係合される。支持脚は、ネジ穴部材のネジ穴にネジ軸が挿入されることで、長さ調整可能に設けられる。そして、ネジ穴部材のネジ穴に支持脚のネジ軸が挿入されている状態では、ネジ軸によって係合部がネジ穴の径方向の中心側に向かって弾性変形することが規制されているので、係合穴に対するネジ穴部材の係合状態が良好に保たれている。
【００１４】
また、本発明に係る電子機器は、上述の本発明の脚調整機構を備える。
【発明の効果】
【００１５】
上述したように本発明によれば、係合部を弾性変形させることで係合穴にネジ穴部材を係合させることによって、ネジ穴部材を容易に組み付けることが可能になり、脚調整機構の組み立て作業および分解作業を容易に行うことができる。
【発明を実施するための最良の形態】
【００１６】
以下、本発明の具体的な実施形態について、図面を参照して説明する。
【００１７】
（第１の実施形態）
図１および図２に示すように、脚調整機構１は、電子機器の筐体１１に設けられた係合穴１２と、この係合穴１２に係合されるネジ穴部材１３と、このネジ穴部材１３に挿入される支持脚１４とを備えている。
【００１８】
係合穴１２は、樹脂材料からなる筐体１１に円形状に形成されており、円筒状の周壁１２ａが筐体１１の内側に向かって突出され一体に形成されている。係合穴１２の内周部の対向する位置には、筐体１１に対するネジ穴部材１３の回転を規制する回転規制溝１５がそれぞれ形成されている。
【００１９】
ネジ穴部材１３は、樹脂材料によって円筒状に形成されており、一組の構成部材１３ａ，１３ｂが組み合わされて構成されている。各構成部材１３ａ，１３ｂには、図２に示すように、互いに組み合わされる係合凸部および係合凹部がそれぞれ形成されている。
【００２０】
構成部材１３ａ，１３ｂが組み合わされてなるネジ穴部材１３は、支持脚１４が挿入されるネジ穴１８が形成された略円筒状の周壁１７を有している。周壁１７の内周部の対向する位置には、係合穴１２に係合される一組の係合片２１が切り欠かれて、ネジ穴１８の径方向に弾性変形可能に形成されている。これら各係合片２１の外周側には、筐体１１の内側に臨む一端部に、係合穴１２の周壁１２ａの一端面に係合する係合爪２１ａが形成されている。また、各係合片２１の内周側には、ネジ穴１８の一部が形成されている。
【００２１】
また、係合穴１２の内周部の対向する位置には、ネジ穴部材１３の係合片２１の係合爪２１ａが挿通される凹部２２がそれぞれ形成されている。ネジ穴部材１３は、係合穴１２に係合される際、各係合片２１をネジ穴１８の径方向の中心側に弾性変位させることで、凹部２２に沿って各係合爪２１ａを挿通させた後、弾性変形されていた各係合片２１を復帰させることで、各係合爪２１ａが周壁１２ａの端面にそれぞれ係合される。
【００２２】
また、ネジ穴部材１３の周壁１７の一端部には、係合穴１２の回転規制溝１５に係合される回転規制凸部２４が一体に形成されている。
【００２３】
支持脚１４は、樹脂材料によって形成されており、ネジ穴部材１３のネジ穴１８に挿入される円筒状のネジ軸２６と、このネジ軸２６の一端部に一体に形成された脚部２７とを有している。ネジ軸２６は、外周部に雄ねじが形成されており、筒状に形成されて外径が比較的大きく形成されることで機械的強度が確保されている。
【００２４】
以上のように構成された脚調整機構１について、筐体１１に取り付けられる状態および筐体１１から取り外されて分解される状態をそれぞれ説明する。
【００２５】
まず、一組の構成部材を組み合わせて、ネジ穴部材１３を構成する。脚調整機構１は、筐体１１の係合穴１２にネジ穴部材１３を組み付ける際、ネジ穴部材１３の各係合片２１をネジ穴１８の径方向の中心側に向かって弾性変形させることで、係合穴１２の各凹部２２内に沿って各係合片２１の係合爪２１ａを挿通させる。各係合爪２１ａが各凹部２２内に沿って挿通された後、弾性変形されていた各係合片２１を復帰させることで、ネジ穴部材１３は、各係合片２１の各係合爪２１ａが係合穴１２の周壁１２ａの端面にそれぞれ係合される。
【００２６】
また、ネジ穴部材１３は、回転規制凸部２４が、係合穴１２の回転規制溝１５に係合することで、筐体１１に対して係合穴１２の軸線回りに回転することが規制されている。続いて、筐体１１の係合穴１２に係合されたネジ穴部材１３のネジ穴１８には、支持脚１４のネジ軸２６が挿入されることで、筐体１１に脚調整機構１が組み付けられる。
【００２７】
ネジ穴部材１３のネジ穴１８に支持脚１４のネジ軸２６が挿入された状態では、ネジ軸２６によってネジ穴部材１３の係合片２１がネジ穴１８の径方向の中心側に向かって弾性変形することが規制されている。このため、ネジ穴部材１３は、係合爪２１ａと係合穴１２の周壁１２ａの端面との係合状態が良好に保たれ、ネジ穴部材１３が係合穴１２から脱落することが防止されている。
【００２８】
そして、脚調整機構１は、ネジ穴部材１３のネジ穴１８に対して支持脚１４のネジ軸２６を回転操作することで、ネジ軸２６の挿入量を調整することによって、筐体１１に対する支持脚１４の長さが調整され、電子機器の設置面に対する高さが調整される。
【００２９】
また、脚調整機構１は、筐体１１から取り外されて分解される際、ネジ穴部材１３のネジ穴１８から支持脚１４のネジ軸２６が抜き取られる。ネジ穴部材１３は、ネジ穴１８に支持脚１４のネジ軸２６が挿入されていない状態で、各係合片２１をネジ穴１８の径方向の中心側に向かって弾性変形させることが可能になる。ネジ穴部材１３は、各係合片２１を弾性変形させて、各凹部２２に沿って各係合爪２１ａを挿通させることで、係合穴１２から容易に取り外される。
【００３０】
したがって、脚調整機構１は、各種工具を使用することなく、筐体１１の係合穴１２に取り付けられると共に係合穴１２から取り外される。
【００３１】
上述したように、脚調整機構１によれば、係合穴１２に係合されるネジ穴部材１３を備えることによって、筐体１１にネジ穴部材１３を取り付ける際に、筐体に対するネジ穴部材の圧入作業やネジ止め作業等が不要になり、各種工具を用いることなく、脚調整機構１の組み立て作業および分解作業を容易に行うことができる。
【００３２】
また、脚調整機構１は、樹脂製の筐体１１の係合穴１２に、樹脂製のネジ穴部材１３、樹脂製の支持脚１４が組み付けられる構成によって、分解時の資材の分別作業が簡易になり、資材を再利用する点で好適である。
【００３３】
（第２の実施形態）
つぎに、第２の実施形態の脚調整機構について、図面を参照して説明する。なお、第２の実施形態における支持脚は、ネジ軸に形成された雄ねじ形状を除いて第１の実施形態における支持脚と同一構成であるため、同一符合を付して説明を省略する。
【００３４】
図３および図４に示すように、第２の実施形態の脚調整機構２は、電子機器の筐体３１に設けられた係合穴３２と、この係合穴３２に係合されるネジ穴部材３３と、このネジ穴部材３３に挿入される支持脚１４とを備えている。
【００３５】
係合穴３２は、樹脂材料からなる筐体３１に円形状に形成されている。ネジ穴部材３３は、樹脂材料によって円筒状に形成されており、一組の構成部材３３ａ，３３ｂが組み合わされて構成されている。これら構成部材３３ａ，３３ｂが組み合わされてなるネジ穴部材３３には、支持脚１４のネジ軸２６が挿入されるネジ穴３８が形成された円筒状の周壁３７を有している。
【００３６】
そして、一方の構成部材３３ａは、筐体３１の係合穴３２に一体に形成されている。他方の構成部材３３ｂの周壁３７の一部には、係合穴３２に係合される係合片４１が切り欠かれて、ネジ穴３８の径方向に弾性変形可能に形成されている。係合片４１の外周側には、筐体３１の底面側に臨む一端部に、係合穴３２の周縁部に係合する係合爪４１ａが形成されている。また、この係合片４１の内周側には、ネジ穴３８の一部が形成されている。
【００３７】
また、構成部材３３ｂには、係合穴３２の周縁部に当接される半円板状のフランジ部４２が一体に形成されている。構成部材３３ｂは、係合穴３２に組み付けられる際、係合片４１をネジ穴３８の径方向の中心側に向かって弾性変形させることで、係合爪４１ａが係合穴３２に沿って挿通される。
【００３８】
係合爪４１ａが係合穴３２に沿って挿通された後、弾性変形されていた係合片４１を復帰させることで、構成部材３３ｂは、係合爪４１ａが係合穴３２の周縁部に係合されると共に、フランジ部４２が係合穴３２の反対側の周縁部に当接される。したがって、構成部材３３ｂは、係合穴３２の周縁部を、係合爪４１ａとフランジ部４２との間で挟み込むことで係合穴３２に係合される。
【００３９】
また、構成部材３３ｂは、筐体３１に形成された一方の構成部材３３ａに組み合わされることで、筐体３１に対する回転が確実に規制される。したがって、ネジ穴部材３３には、上述したネジ穴部材１３のような回転規制溝や回転規制凸部が設けられる必要がない。
【００４０】
また、ネジ穴部材３３は、ネジ穴３８にネジ軸２６が挿入されている状態で、ネジ軸２６によって係合片４１が径方向の中心側に向かって弾性変形することが規制されている。このため、ネジ穴部材３３は、係合穴３２に対する係合状態が良好に保たれ、係合穴３２から脱落することが防止されている。
【００４１】
本実施形態の脚調整機構２は、ネジ穴部材３３を構成する一方の構成部材３３ａが筐体３１の係合穴３２に一体に形成されたことによって、係合穴３２に他方の構成部材３３ｂのみを係合させることで、ネジ穴部材３３を係合穴３２に更に容易に係合させることができる。このため、この脚調整機構２によれば、組み立て時および分解時の作業性を更に向上することができる。
【００４２】
なお、上述した第１の実施形態では、ネジ穴部材１３が一組の構成部材１３ａ，１３ｂからなる構成が採られたが、１つのネジ穴部材によって構成されてもよい。また、上述した各実施形態では、樹脂製の筐体に係合穴が設けられる構成が採られたが、例えば、電子機器の筐体に組み付けられる金属製のシャーシに、ネジ部材が係合される係合穴が設けられる構成が採られてもよいことは勿論である。
【００４３】
最後に、上述した実施形態の脚調整機構を備える電子機器の一例として、プロジェクタを簡単に説明する。
【００４４】
図示しないが、実施形態のプロジェクタには、筐体の底面の四隅に、上述した脚調整機構が配設されており、各脚調整機構をよって支持脚が調整されることによって、設置面に対する筐体の高さおよびスクリーン等の投射面に対する投射光軸の傾斜状態が調整される。
【００４５】
実施形態のプロジェクタによれば、脚調整機構の組み付け作業および分解作業を容易に行うことが可能になるので、生産性の向上、製造コストの低減を図ることができる。
【図面の簡単な説明】
【００４６】
【図１】第１の実施形態の脚調整機構を示す断面図である。
【図２】第１の実施形態の脚調整機構を示す分解斜視図である。
【図３】第２の実施形態の脚調整機構を示す断面図である。
【図４】第２の実施形態の脚調整機構を示す分解斜視図である。
【図５】従来の脚調整機構を示す断面図である。
【符号の説明】
【００４７】
１  脚調整機構
１１  筐体
１２  係合穴
１３  ネジ穴部材
１４  支持脚
１７  周壁
１８  ネジ穴
２１  係合片
２１ａ  係合爪
２６  ネジ軸
【図１】
0004698408.tif 000002
【図２】
0004698408.tif 000003
【図３】
0004698408.tif 000004
【図４】
0004698408.tif 000005
【図５】
0004698408.tif 000006